(57)【要約】【課題】原稿判別不能加工処理を解除し、不正コピーを行ったとしても、地紋パターン原稿複製を行ったユーザの割り出しを容易に行える画像形成装置を提供する。【解決手段】原稿複製の際、所定の地紋がある印刷用紙を原稿として読み取った場合に、特定画素当たりで所定の地紋パターンを認識する地紋パターン認識ユニット５０を有し、前記地紋パターンを認識すると、読み取った原稿画像が判断できないように画像を処理する加工原稿判別不能加工機能を有し、利用する際にユーザＩＤ認識可能なユーザＩＤ認識機能を有する画像形成装置において、パスワードによって原稿判別不能加工を解除した場合でも、地紋パターン認識時には、前記ユーザＩＤを履歴として記憶する。【選択図】図２
2008048080.tif 000002
【特許請求の範囲】
【請求項１】
所定の地紋を有する原稿を読みとった場合に特定画素中の所定の地紋パターンを認識する地紋パターン認識手段と、
前記地紋パターン認識手段が、前記地紋パターンを認識した時に、読み取った原稿画像を判別出来ないように画像処理する画像処理手段と、
ユーザＩＤを認識可能なユーザＩＤ認識手段と、
すくなくとも前記ユーザＩＤを記憶する記憶手段と、
を備えた画像形成装置において、
前記画像処理手段による前記画像処理を解除した場合でも、前記地紋パターン認識時は前記ユーザＩＤを前記記憶手段に履歴として記憶することを特徴とする画像形成装置。
【請求項２】
少なくとも警告を表示する表示手段をさらに備え、
前記地紋パターン認識手段が前記地紋パターンを認識した時に、不正コピーである旨及び前記ユーザＩＤが履歴として保存される旨の警告を前記表示手段に表示することを特徴とする請求項１記載の画像形成装置。
【請求項３】
前記地紋パターン認識手段が前記地紋パターンを認識した時に、不正コピーである旨及びユーザＩＤを履歴として保存する旨を音声により警告する音声発信手段を備えたことを特徴とする請求項１又は２記載の画像形成装置。
【請求項４】
前記地紋パターン認識手段が前記地紋パターンを認識した時に、不正コピーである旨を発光により警告する発光手段を備えたことを特徴とする請求項１又は２記載の画像形成装置。
【請求項５】
少なくとも警告のオン／オフを設定する設定手段をさらに備え、
前記表示手段による警告は、前記設定手段によりオン／オフを不可としたことを特徴とする請求項１乃至４何れか一項記載の画像形成装置。
【請求項６】
前記音声による警告は、前記設定手段によりオン／オフ可能としたことを特徴とする請求項１乃至５何れか一項記載の画像形成装置。
【請求項７】
前記発光による警告は、前記設定手段によりオン／オフ可能としたことを特徴とする請求項１乃至５何れか一項記載の画像形成装置。
【請求項８】
前記画像処理手段は、前記地紋パターン内に埋め込まれた識別コードとユーザＩＤが一致した特定のユーザを前記画像処理の対象外と判断し、前記画像処理を行わないことを特徴とする請求項１乃至７何れか一項記載の画像形成装置。
【請求項９】
前記特定のユーザは、複数のユーザにより構成されるグループであることを特徴とする請求項８記載の画像形成装置。
【請求項１０】
前記所定の地紋を有する原稿のプレスキャンをする場合、該プレスキャンの結果、前記地紋パターン内に埋め込まれた識別コードとユーザＩＤが一致したとき、前記画像処理を行うか否かを事前に前記特定のユーザに通知することを特徴とする請求項８又は９記載の画像形成装置。
【請求項１１】
前記特定のユーザを前記画像処理の対象とするか否かは、前記設定手段によりオン／オフすることを特徴とする請求項８乃至１０何れか一項記載の画像形成装置。
【発明の詳細な説明】
【技術分野】
【０００１】
本発明は、単体スキャナ、及びコピー、ファクシミリ、プリンタなどの機能を有するデジタル複合機において原稿読み取りと読み取り禁止原稿の識別の機能を有する画像形成装置に関するものである。
【背景技術】
【０００２】
単体スキャナ、及びコピー、ファクシミリ、プリンタなどの機能を有するデジタル複合機においては、それらが高性能の装置となりかつカラー原稿でも精密な複写が可能となり、例えば、紙幣、株券等の有価証券のような複写を禁じられている所定の特殊原稿、及び社外秘のごとき重要な書類の複写を試みる者に対する対策が必要とされている。
かかる対策のために、従来から、複写禁止されている原稿、例えば、紙幣、株券等の有価証券のような所定の特殊原稿である時に、ユーザにその原稿の複写が禁止されている旨の所定の警告を行なう技術、又は読み取った原稿画像に、記録紙への印刷又はかかる画像データの他の装置への転送を禁じるためのパターンを形成する技術が提案されている（例えば、特許文献１乃至５参照）。
【０００３】
特許文献１では、例えば、原稿が複写禁止されている原稿（例えば、紙幣、株券等の有価証券）のような所定の特殊原稿である時に、ユーザにその原稿の複写は禁止されている旨等の所定の警告を行えるとともに、第３者にもユーザによるそのような原稿の複写について警告でき、さらに、第３者への警告が行われると、その警告動作は、一般ユーザでは簡単容易には停止解除することができないカラー画像形成装置を開示している。
特許文献２では、多彩なページ編集機能を犠牲にすることなく、複写禁止画像の再現を防止し、また、ネットワークを介したデータの運用も防止する技術が開示されている。
特許文献３では、通常の原稿のコピーを妨げることなく、特殊原稿のコピーを禁止して違法複写を未然に防ぐことができ、たとえ特殊原稿がコピーされた場合でも追跡可能とする。また、オリジナルの再現性を低下させ、違法複写を防止及び追跡を可能とする技術を開示している。
また、特許文献４及び５では、地紋認識について技術を含む画像処理装置、画像処理方法、画像処理プログラム、及び画像処理プログラムを記憶する記憶媒体が開示されている。
【０００４】
さらに、本出願人の未公開の係属出願に関する研究には、地紋認識の手段とその禁止解除を課題の解決手段としている、機密文書のコピーやファクシミリによる社外への漏洩を防止する画像処理装置、画像処理方法、画像処理プログラムが提供されている。
同様に、本出願人の先願に関する研究には、原稿の地紋認識を解決手段として、画像読取り手段により読み取った原稿画像データに、記録紙への印刷又はかかる画像データの他の装置への転送を禁じるためのパターンが形成されている場合に、当該印刷または転送を禁じるか否かを検出するに際して、検出動作を管理者が望む形で行わせることができる画像処理装置が開示されている。
【特許文献１】特開平１０−２２２０３３号公報
【特許文献２】特開２０００−１７５０３１公報
【特許文献３】特開平６−１２５４５９号公報
【特許文献４】特開２００４−２７４０９２公報
【特許文献５】特開２００４−２０１０６８公報
【発明の開示】
【発明が解決しようとする課題】
【０００５】
しかしながら、原稿複製の際、所定の地紋パターンが印刷された用紙は、情報漏洩防止のセキュリティ機能として、元の原稿を判別できないようにするため、特定の画素当たりで地紋パターンを認識し、原稿判別不能加工を施すようにしている。かかる原稿判別不能加工は特定のユーザ（原稿出力の本人や、情報開示可能対象者）に関しては不要である。
また、管理責任者に依頼すれば、パスワードによって、原稿判別不能加工処理は解除可能であるが、パスワードを盗用すれば、管理責任者になりすまして、不正コピーが可能となるセキュリティの欠陥がある。
そこで、本発明の目的は、上述した実情を考慮して、原稿判別不能加工処理を解除し、不正コピーを行ったとしても、地紋パターン原稿複製を行ったユーザの割り出しを容易に行える画像形成装置を提供することにある。
【課題を解決するための手段】
【０００６】
上記の課題を解決するために、請求項１に記載の発明は、所定の地紋を有する原稿を読みとった場合に特定画素中の所定の地紋パターンを認識する地紋パターン認識手段と、前記地紋パターン認識手段が、前記地紋パターンを認識した時に、読み取った原稿画像を判別出来ないように画像処理する画像処理手段と、ユーザＩＤを認識可能なユーザＩＤ認識手段と、すくなくとも前記ユーザＩＤを記憶する記憶手段と、を備えた画像形成装置において、前記画像処理手段による前記画像処理を解除した場合でも、前記地紋パターン認識時は前記ユーザＩＤを前記記憶手段に履歴として記憶する画像形成装置を特徴とする。
また、請求項２に記載の発明は、少なくとも警告を表示する表示手段をさらに備え、前記地紋パターン認識手段が前記地紋パターンを認識した時に、不正コピーである旨及び前記ユーザＩＤが履歴として保存される旨の警告を前記表示手段に表示する請求項１記載の画像形成装置を特徴とする。
また、請求項３に記載の発明は、前記地紋パターン認識手段が前記地紋パターンを認識した時に、不正コピーである旨及びユーザＩＤを履歴として保存する旨を音声により警告する音声発信手段を備えたことを特徴とする請求項１又は２記載の画像形成装置を特徴とする。
また、請求項４に記載の発明は、前記地紋パターン認識手段が前記地紋パターンを認識した時に、不正コピーである旨を発光により警告する発光手段を備えたことを特徴とする請求項１又は２記載の画像形成装置を特徴とする。
【０００７】
また、請求項５に記載の発明は、少なくとも警告のオン／オフを設定する設定手段をさらに備え、前記表示手段による警告は、前記設定手段によりオン／オフを不可としたことを特徴とする請求項１乃至４何れか一項記載の画像形成装置を特徴とする。
また、請求項６に記載の発明は、前記音声による警告は、前記設定手段によりオン／オフ可能とした請求項１乃至５何れか一項記載の画像形成装置を特徴とする。
また、請求項７に記載の発明は、前記発光による警告は、前記設定手段によりオン／オフ可能とした請求項１乃至５何れか一項記載の画像形成装置を特徴とする。
また、請求項８に記載の発明は、前記画像処理手段は、前記地紋パターン内に埋め込まれた識別コードとユーザＩＤが一致した特定のユーザを前記画像処理の対象外と判断し、前記画像処理を行わないことを特徴とする請求項１乃至７何れか一項記載の画像形成装置を特徴とする。
【０００８】
また、請求項９に記載の発明は、前記特定のユーザは、複数のユーザにより構成されるグループである請求項８記載の画像形成装置を特徴とする。
また、請求項１０に記載の発明は、前記所定の地紋を有する原稿のプレスキャンをする場合、該プレスキャンの結果、前記地紋パターン内に埋め込まれた識別コードとユーザＩＤが一致したとき、前記画像処理を行うか否かを事前に前記特定のユーザに通知する請求項８又は９記載の画像形成装置を特徴とする。
また、請求項１１に記載の発明は、前記特定のユーザを前記画像処理の対象とするか否かは、前記設定手段によりオン／オフする請求項８乃至１０何れか一項記載の画像形成装置を特徴とする。
【発明の効果】
【０００９】
本発明によれば、たとえ、原稿判別不能加工処理を解除し、不正コピーを行ったとしても、地紋パターン原稿複製を行ったユーザの割り出しを容易に行えるという効果がある。
また、本発明によれば、地紋パターン内の情報から判断して、特定のユーザに対しては、原稿判別不能加工処理対象外と判断し、この原稿判別不能加工処理を行わないことができるので、現在のユーザが管理者である場合には、その都度警告が発せられることの煩わしさを解消するという効果がある。
【発明を実施するための最良の形態】
【００１０】
以下、図面を参照して、本発明の実施の形態を詳細に説明する。図１は本発明による画像形成装置のシステムの操作パネルの外観を示す概略図である。図２は図１の画像形成装置のシステム制御ブロック図である。
図１の操作パネル（設定手段）１には、液晶表示部２、初期設定キー３、テンキー８、プリントボタン１１に加えて、種々のキー及びボタン、例えば、コピーキー４、スキャナキー５、プリンタキー６、ファクシミリ（ＦＡＸ）キー７、クリアボタン９等が示されている。
図２のシステム制御ブロック図を基に、本発明による画像形成装置のシステムの実施の形態である制御形態について説明する。システムコントローラ２０は、スキャナアプリケーション、コピーアプリケーション、ＦＡＸアプリケーション、プリンタアプリケーション等の複数及び単体アプリケーションの機能を有することができ、システム全体の制御を行う。
【００１１】
操作パネル制御装置２１は、本システムの設定の入力とその状態内容を表示する装置である。画像制御装置２２は原稿画像の読み取り、公知の電子写真技術による転写用紙への画像書き込みを行う。画像データバス／制御コマンドバス２３は、画像データと制御コマンドが時分割で転送されるバスである。
ＣＰＵ２４はシステムコントローラ２０の制御を行う。ＲＯＭ２５にはシステムコントローラ２０の制御プログラムが記憶されている。ＲＡＭ２６は、ＣＰＵ２４が使用する作業用メモリである。ＮＶＲＡＭ（記憶手段）２７は不揮発性メモリであり、システム全体の情報の保管を行う。ネットワークＩ／Ｆコントローラ２８はネットワークとの接続制御を行う。
システムＩ／Ｆ２９は、ＣＰＵ２４の命令によりシステム内で処理される、ＦＡＸデータ、プリンタデータの転送制御を行う。ワークメモリ３０はプリンタで使用する画像展開の作業用メモリである。フレームメモリ３１は、読み取り画像や書き込み画像の画像データを蓄える作業用メモリであり、画像データは、符号化されたデータ、又はドット画像データである。
【００１２】
ＦＩＦＯバッファ３２は、フレームメモリ３１への入力画像の書き込み時にデータ転送速度変換を行う。同様にＦＩＦＯバッファ３３は、フレームメモリ３１の画像データを出力画像としてデータ転送する時の速度変換を行う。
メモリコントローラ３４はＣＰＵ２４の制御なしにフレームメモリ３１、及びＨＤＤＣ３５とバス間の画像の入出力を制御する。ＨＤＤＣ３５は、内部に周知のＨＤＤ（Hard Disk Drive）（図示せず）を含み、ＨＤＤへの画像データの入出力制御を行う。ＨＤＤには画像読み取り装置３６で読み取られた画像、及びネットワーク経由で取得した画像が保存される。
操作パネル制御装置２１のＣＰＵ３８は、この操作パネル制御装置２１の制御を行う。ＲＯＭ３９には操作パネル制御装置２１の制御プログラムが記憶されている。ＲＡＭ４０はＣＰＵ３８で使用する作業用メモリである。入力装置４１は、ユーザがシステム設定の入力を行う装置である。
表示装置（表示手段）４２は、システムの設定内容及び状態を確認するユーザのために、それらを表示する装置（図１の液晶表示部に対応）である。
【００１３】
ＣＰＵ４３は、画像入出力制御装置２２の制御を行う。ＲＯＭ４４には、画像入出力制御装置２２の制御プログラムが記憶されている。ＲＡＭ４５はＣＰＵ４３で使用する作業用メモリである。
画像書き込みユニット３７はレーザ光を画素周波数で点灯し、ポリゴンスキャナでスキャンする公知の光学書き込み装置の制御ユニットである。画像処理ユニット（画像処理手段）３６は、ランプ光を原稿で反射しＣＣＤで読み取る、公知の光学式スキャナの制御を行うユニットである。
また、画像処理ユニット３６は、画像処理を行い、可視及び不可視の識別子を画像データから分離する。分離した識別子はＣＰＵ４３でコード化され、システムコントローラ２０に送られ、ネットワーク上に存在する画像処理装置及びコンピュータを特定する。
原稿搬送制御ユニット４６は、複数枚積載された原稿から画像読み取りユニット３６が読み取る原稿を１枚ずつ搬送する。また、原稿搬送制御ユニット４６は原稿のサイズ検出も行う。
【００１４】
電子写真プロセスユニット４７は感光体上にレーザ光で書き込まれた潜像画像をトナーで実像化し、転写紙に転写、定着する周知の電子写真技術を制御するユニットである。電子写真は１つの例であり、インクジェットのような作像法であっても本発明は適用可能とする。
転写紙搬送制御ユニット４８は、電子写真プロセスユニット４７で画像が転写される転写紙の搬送制御を行う。課金装置Ｉ／Ｆユニット４９は、画像入出力制御装置２２と課金装置（図示せず）を接続するため、ＣＰＵ４３の命令を課金装置の専用Ｉ／Ｆへ変換し、課金装置と印刷条件、課金、印刷可否信号の送受信を行う構成になっている。
地紋認識ユニット５０は地紋パターン認識を行う。画像読み取りユニット３６から２値化された画像データが地紋認識ユニット５０に送られる。そこで、地紋認識ユニット５０は地紋検出結果を画像処理ユニット３６に送る。
画像処理ユニット３６は、地紋認識ユニット５０から送られる地紋検出結果及びＣＰＵ４３の指示により、画像データを所定の階調と位相に固定化し、原稿画像の判読ができないように原稿判別不能加工（画像処理）を施す。
【００１５】
図２には、さらに、画像データバス／制御コマンドバス２３を介してシステムコントローラ２０と画像入出力制御装置２２を接続するバス制御５１、５２、５３、５４、及び操作パネル制御装置２１と画像入出力制御装置２２を接続するバス制御５５及び５６が示されている。
図３は図１の画像形成装置のシステム初期設定の管理者用画面を示す概略図である。図４は地紋認識機能有効を設定する画面を示す概略図である。図５は地紋パターン認識ブロック図である。
図３には、システム初期設定の管理者用画面を示しており、管理者用設定画面５７で不正コピー抑止アイコン５８、設定表示アイコン５９を、そして図４には、地紋認識機能有効を設定する不正コピー抑止の選択ボタン６０及び設定画面６１を示している。次に、図５の地紋パターン認識ブロック図を基に、画像データから地紋認識する例を説明する。
【００１６】
図５の地紋パターン認識ブロックは、図２に示した地紋認識ユニット５０に含まれている。２値化された画像データは孤立ドット検出部６２に送られる。この孤立ドット検出部６２では、主走査ｄ画素×副走査ｌライン（特定画素）中にある孤立画素６６を検出する。孤立画素の検出情報は画像データとともに位相情報記憶部６３に送られる。
位相情報記憶部６３では、主走査ｄ画素×副走査ｌライン中にある孤立画素６６の情報から、主走査ｄ画素×Ｂ数分のＢｄと副走査ｌライン×Ｌ数分のＬｌであるＢｄ×Ｌｌブロック中で孤立画素の位置関係情報６７を記憶する。
パターンマッチング部６４では、位相情報記憶部６３で記憶されたＢｄ×Ｌｌブロック中の孤立画素６６の位置関係情報６７と、所定の地紋パターンとのマッチング６８を行う。パターンマッチング部６４によるパターンマッチングの結果は地紋検出部６５に送られる。この地紋検出部６５では、副走査ライン中で所定のｎ個のパターンマッチング検出により地紋であると認識され、検出信号が出力される。
孤立ドット検出部６２及びパターンマッチング部６４は、原稿画像データの解像度が所定より低い場合には画素の干渉から地紋パターンを検出できなくなるため、原稿読み取り時に所定以上の解像力が必要とされる。
【００１７】
図６は本発明によって地紋が印刷された原稿を読み取った例を示す概略図である。図７は本発明によって地紋がない原稿を読み取った例を示す概略図である。
次に、図６と図７を参照して、地紋印刷された原稿と地紋がない原稿で、読み取り後の画像の違いを説明する。
地紋印刷された原稿７０（図６）を地紋認識して読み取り、地紋が認識されると、原稿画像を判読できないように加工（画像処理）する。地紋印刷された原稿７０を地紋認識しないで読み取ると、原稿画像はそのまま読み取られる。
一方、図７のように、地紋印刷されていない原稿７３を地紋認識して読み取っても、地紋が認識されないため、原稿画像はそのまま読み取られる。さらに、地紋印刷されていない原稿７３を地紋認識しないで読み取っても、原稿画像はそのまま読み取られる。
【００１８】
図８はネットワークの接続例を示す概略図である。次に、図８のネットワーク接続を基に、本システムの実施の形態であるネットワーク接続と画像データの転送例を説明する。
本発明である画像処理装置は、デジタル複合機８０、８１であったり、スキャナ装置８２、８３であったり、プリンタ装置８４、８５である。デジタル複合機８０、８１は原稿を読み取り、画像の保存と印刷ができる。スキャナ装置８２、８３は読み取った画像の保存ができる。プリンタ装置８４、８５は印刷する画像の保存ができ、印刷ができる。
デジタル複合機８０、８１とスキャナ装置８２、８３は、電話回線としての公衆回線網８６、８７、８８、８９へ、読み取った画像をＦＡＸデータとして直接送信できる。デジタル複合機８０、８１とスキャナ装置８２、８３とプリンタ装置８４、８５はネットワーク９０に接続することができ、画像の送信と受信ができる。
コンピュータ９１、９２、９３は、ネットワーク９０に接続されたデジタル複合機８０、８１、スキャナ装置８２、８３、プリンタ装置８４、８５を操作することができ、画像の送信と受信ができ、画像を保存することができる。
【００１９】
図９は地紋パターン認識を有効に設定する例を示すフローチャートである。図１０は本発明の実施の形態による管理者ＩＤと認証コードを入力する画面を示す図である。図１１は管理者ＩＤと認証コードの対応を示す図である。次に、図９のフローチャートを基に、地紋パターンを認識する機能を有効とするか無効とするかを、システム管理者が設定する例を説明する。
システム管理者（以下、単に管理者とする）は、不正コピー抑止設定を開始するために、システムの操作パネル（設定手段）１（図１）にある初期設定キーボタン３の押下により、システム初期設定を選択する（Ｓ１）。図３の初期設定画面より、システム初期設定画面を表示し（Ｓ２）、管理者用設定アイコン５７を選択して管理者用設定画面を選択すると（Ｓ３）、管理者用設定画面を表示する前に、図１０の管理者を識別するための認証コード入力画面が表示される。
管理者は管理者ＩＤと管理者用認証コードを入力し（Ｓ４）、図１１に示した、システムに予め登録されている管理者ＩＤと管理者用認証コードが一致した場合に（Ｓ５でＮｏ）、管理者用画面が表示される（Ｓ６）。管理者ＩＤと管理者用認証コードは、ＮＶＲＡＭ２７（図２）に保存されている。
管理者用設定画面にある不正コピー抑止アイコン５８を選択し（Ｓ７）、図４の不正コピー抑止選択画面を表示する（Ｓ８）。不正コピー抑止選択画面にある、不正コピー抑止設定アイコンより、不正コピー抑止する（実行）６０を選択し（Ｓ９）、不正コピー抑止設定６１が終了し（Ｓ１０）、地紋パターンを認識する機能が有効となる。不正コピー抑止設定はＮＶＲＡＭ２７に保存される。
【００２０】
図１２は地紋パターン認識し、ユーザＩＤを履歴として、ＮＶＲＡＭに保存する例を示すフローチャートである。図１３は不正コピー履歴の画面例を示す図である。
次に、図２、図９、図１２、及び図１３を用いて、パスワードによって「原稿判別不能加工」解除した場合でも、地紋パターン認識時には、ユーザＩＤを履歴として記憶する例を説明する。
図２には、図示しないが、ユーザＩＤ入力・認識装置（ユーザＩＤ認識手段）が装備されているとする。かかる装置は、例えば、ＩＤカードによりＩＤを入力する、指紋／静脈／目の虹彩によりユーザＩＤを入力する等々によりＩＤ認識をするように構成されている（Ｓ１１）。
図１２のステップ（Ｓ１２）にて、原稿をスキャンした際、地紋有りかどうかを判断し（Ｓ１３）、地紋有りの原稿であったとする（Ｓ１３でＹｅｓ）。この場合には、ステップ（Ｓ１２）にて認識したユーザＩＤをＮＶＲＡＭ２７に記憶（保存）する（Ｓ１４）。
【００２１】
次に、原稿判別不能処理解除中かどうかを判断し（Ｓ１５）、図９のステップ（Ｓ９）にて設定した内容が「しない」であった場合、すなわち、原稿判別不能処理解除中である場合（Ｓ１５でＹｅｓ）、通常処理とし（Ｓ１６）、反対の場合（Ｓ１５でＮｏ）、原稿判別不能加工処理（画像処理）を施す（Ｓ１７）。ＮＶＲＡＭ２７内の内容は、図１３のように履歴として参照可能であるため、意図しない不正コピーが発覚した場合、この履歴からユーザの割り出しが可能となる。
このように、原稿複製の際、所定の地紋パターンが印刷された用紙は、情報漏洩防止のセキュリティ機能として、元の原稿を判別できないようにするため、特定の画素当たりで地紋パターンを認識し、原稿判別不能加工を施す。この場合、特定のユーザ（原稿を作成した本人や、情報開示可能対象者）に関しては、この原稿判別不能加工は不要である。
管理責任者（管理者）に依頼すれば、パスワードによって原稿判別不能加工処理は解除可能であるが、パスワードを盗用すれば、管理者になりすまして、不正コピーが可能となるセキュリティの欠陥がある。そこで、たとえ、原稿判別不能加工処理を解除し、不正コピーを行ったとしても、地紋パターン原稿複製を行ったユーザの割り出しを容易に行えるという効果がある。
【００２２】
図１４は不正コピー履歴を記録していることを警告表示する画面例を示す図である。図１５は不正コピーを行った際、音声警告通知するか否かを設定する画面例を示す図である。
次に、図２、図１２、図１４、及び図１５を参照して、ユーザＩＤを履歴として記憶するとともに、操作パネル表示に「不正コピー」であり、ユーザＩＤが履歴として保存される旨の警告を通知する例を説明する。
図１２のステップ（Ｓ１３）にて、原稿スキャンした際、地紋ありの原稿であったとする。ステップ（Ｓ１４）にて、ステップ（Ｓ１１）で認識したユーザＩＤをＮＶＲＡＭ２７に記憶する。さらに、図１５のような表示が操作パネル１の液晶表示部２（図１）にて通知される。
このように、管理者になりすましても、現在のユーザが不正コピーを行っていることが、画像処理装置（画像形成装置）に記録されており、ユーザの割り出しが可能であることをユーザに表示通知として知らせることにより、不正コピーの抑止効果がある。
【００２３】
次に、図２及び図１２を用いて、ユーザＩＤを履歴として記憶するとともに、音声により「不正コピー」であり、ユーザＩＤが履歴として保存される旨の警告を通知する例を説明する。
図１２のステップ（Ｓ１３）にて、原稿スキャンした際、地紋ありの原稿であったとする。ステップ（Ｓ１４）にて、ステップ（Ｓ１１）にて認識したユーザＩＤをＮＶＲＡＭ２７に記憶する。
さらに、図２に図示しない音声発信装置（音声発信手段）から図１４に示すような「警告！この原稿の複製は、不正コピーとみなされます。あなたのユーザＩＤは、履歴として記録されます。」のような音声が発せられ、通知される。
これにより、現在のユーザが管理者になりすましても、不正コピーを行っていることが、画像処理装置に記録されており、ユーザ割り出し可能であることをユーザに音声通知として知らせることによって、不正コピーの抑止効果がある。この場合、通知手段は音声であることにより、視覚的に障害のあるユーザでも判別可能であるという効果がある。
【００２４】
次に、図２及び図１２を参照して、ユーザＩＤを履歴として記憶するとともに、パトライト等の発光手段により「不正コピー」である旨の警告を通知することの例を説明する。
図１２のステップ（Ｓ１３）にて、原稿スキャンした際、地紋ありの原稿であったとする。ステップ（Ｓ１４）にて、ステップ（Ｓ１１）にて認識したユーザＩＤをＮＶＲＡＭ２７に記憶する。さらに、図２に図示しない発光装置（発光手段）から発光し、警告を行う。
これにより、現在のユーザが管理者になりすましても、不正コピーを行っていることが、画像処理装置に認識されていることを、周囲にも気づかれる位の明るさの発光で知らせることにより、不正コピーの抑止効果がある。
この場合、通知手段は視覚に訴える表示であることにより、聴覚的に障害のあるユーザでも判別可能であるという効果がある。しかし、不正コピー時、不正コピーを行っていることは、画像処理装置に記録されており、ユーザ割り出し可能であることを、発光により通知することは、音声による通知と同様に、管理者である場合には不要であるため、いちいち光が発せられることの煩わしさを解消するために、発光手段の発光による警告は、初期設定の際に、操作パネル１によりオン／オフの設定を可能とすることができる。
【００２５】
次に、図２、図１２及び図１４を参照して、操作パネル１（図１）の表示警告は必ず行うこととして、操作パネル１によるオン／オフの設定は不可とする例を説明する。図１２のステップ（Ｓ１３）にて、原稿スキャンした際、地紋ありの原稿であったとする。
ステップ（Ｓ１４）にて、ステップ（Ｓ１１）にて認識したユーザＩＤをＮＶＲＡＭ２７に記憶する。さらに、図１４のような表示が操作パネル１にて通知され、この表示は必ず行われ、初期設定等で表示されないような設定は不可能とする。
このように、不正コピー時、不正コピーを行っていることが、画像処理装置に記録されており、ユーザの割り出しが可能であることを、必ず表示することにより、不正コピーを抑止する効果がある。
【００２６】
図１５は不正コピーを行った際、音声警告通知するか否かを設定する画面例を示す図である。次に、図１５を参照して、音声警告は、初期設定によりオン／オフの設定を可能とする例を説明する。初期設定等において、図１５のような画面にて「いいえ」の設定を行うことにより、音声発信装置からの警告音声は発せられないことになる。
このように、不正コピー時、現在のユーザが不正コピーを行っていることが、画像処理装置に記録されており、ユーザ割り出し可能であることを、音声により通知することは、この画像処理装置の管理者である場合には不要であるので、その都度音声が発せられることの煩わしさを解消するという効果がある。
図１６は不正コピーを行った際、発光警告通知するか否かを設定する画面例を示す図である。次に、図１６を用いて、発光警告は、初期設定の際に、操作パネル１によるオン／オフの設定を可能とする例を説明する。初期設定等において、図１６に示すような画面にて「いいえ」の設定を行うことによって、発光手段からの発光は行わないことになる。
このように、不正コピー時、現在のユーザが不正コピーを行っていることを、発光により通知することは、現在のユーザが管理者である場合には不要であるため、その都度周囲にも気づかれる位の明るさの光が発せられることの煩わしさを解消するという効果がある。
【００２７】
図１７はスキャン前にユーザＩＤあるいはグループＩＤを認識して原稿スキャンする場合の動作を示すフローチャートである。図１８はスキャン前にユーザＩＤあるいはグループＩＤを認識して原稿をプレスキャンする場合の動作を示すフローチャートである。
次に、図２、図６及び図１７を用いて、地紋パターン内の情報から判断して、特定のユーザに対しては、原稿判別不能加工対象外と判断し、原稿判別不能加工処理を行わない例を説明する。
図６に示すような、パターン７０を地紋として印刷する際に、特定のユーザの識別コード（複製許可者用ＩＤ）が、地紋パターン内に埋め込まれるような指定をユーザが指定可能とする。識別コードは数値等であからさまに判るような内容でもよく、あるいは暗号のような内容でもよく形態は問わない。
一方、識別コードが埋め込まれた印刷物（地紋印刷された原稿）を原稿として、複製する場合を想定する。先ず、スキャン前にユーザＩＤ認識手段がユーザＩＤあるいはグループＩＤを認識する（図１７のＳ２０）。図２には図示しないがユーザＩＤ認識手段であるユーザＩＤ入力・認識装置が装備されているとする。この手段としては、ユーザＩＤを入力する、ＩＤカードによりＩＤ入力する、指紋／静脈／目の虹彩によりユーザＩＤ入力する等々によりＩＤ認識する（図１７のＳ２１）。
次に、原稿スキャンした際、地紋ありの原稿であったとする（図１７のＳ２２）。画像処理ユニット３６は、ステップ（Ｓ２１）で認識したＩＤと比較を行い（図１７のＳ２３）、一致しない場合（Ｓ２３でＮｏ）、原稿判別不能加工処理を行うが（図１７のＳ２４）、一致した場合（Ｓ２３でＹｅｓ）は、原稿判別不能加工対象外ユーザと判断し、原稿判別不能加工処理を行わず（図１７のＳ２５）、通常どおり現行の複製あるいは、電子化が終了する。
【００２８】
次に、図２、図６、図１８を用いて、プレスキャンを行い、原稿判別不能加工するか否かを事前にユーザに通知する方法を説明する。上述したように、図６のパターン７０に示すような、地紋を印刷する際に、特定のユーザの識別コード（ユーザＩＤ等）が、地紋パターン内に埋め込まれるような指定をユーザが指定可能とする。識別コードは数値等であからさまに判るような内容でもよく、あるいは暗号のような内容でもよく形態は問わない。
プレスキャンにより、原稿判別不能加工するか否かを事前にユーザに通知することにより、自分が特定ユーザであることを認識していない場合、原稿判別不能加工が施された無駄な電子ファイル、印刷物が発生することを未然に防止することが可能という効果がある。
一方、識別コードが埋め込まれた印刷物を原稿として、複製する場合を想定する。先ず、スキャン前にユーザＩＤ認識手段はユーザＩＤあるいはグループＩＤを認識する（図１８のＳ３０）。図２には図示しないが、ユーザＩＤ認識手段としてのユーザＩＤ入力・認識装置が装備されているとする。この手段としては、ユーザＩＤを入力する、ＩＤカードによりＩＤ入力する、指紋／静脈／目の虹彩によりユーザＩＤ入力する等々によりＩＤ認識する（図１８のＳ３０）。
次に、原稿スキャンした際、地紋ありの原稿であったとする（図１８のＳ３２）。画像処理手段は、ステップ（Ｓ３１）で認識したＩＤと比較を行い（図１８のＳ３３）、一致しない場合は原稿スキャン不可通知を行うが（図１８のＳ３４）、一致した場合は、原稿判別不能加工対象外ユーザと判断し、原稿スキャン可能通知を行う（図１７のＳ３５）。
【００２９】
次に、図２を用いて、通知手段が表示である方法を説明する。管理者は事前に初期設定等にて、操作パネル制御装置２１内の入力装置４１にて、「地紋パターン原稿スキャン可否通知手段」を「表示」と設定し、ＮＶＲＡＭ２７に記憶しておく。そこで、不正コピーである通知が必要な場合、表示装置４２にその旨が表示される。
次に、図２を用いて、通知手段が音声である方法を説明する。管理者は事前に初期設定等にて、操作パネル制御装置２１内の入力装置４１にて、「地紋パターン原稿スキャン可否通知手段」を「音声」と設定し、ＮＶＲＡＭ２７に記憶しておく。そこで、不正コピーである通知が必要な場合、図示しない音声発信装置にてその旨が音声ガイドとして通知される。
次に、さらに、図２を参照して、画像形成装置において、特定のユーザに対して、原稿判別不能加工対象外と判断する設定の操作パネル１によるオン／オフが可能であること方法を説明する。管理者は、事前に初期設定等にて、操作パネル制御装置２１内の入力装置４１にて、特定ユーザに対する、原稿判別不能加工処理回避設定をオン／オフし、該内容がＮＶＲＡＭ２７に記憶される。
「原稿判別不能加工」対象外の特定ユーザは、複数のユーザにより構成される、特定のグループという単位であることにより、一人に限定せず、「ｏｏｏ文書電子化可能グループ」「ｘｘｘ文書複製可能グループ」といった複数メンバーに対して効力があることが可能という効果がある。
【図面の簡単な説明】
【００３０】
【図１】本発明による画像形成装置のシステムの操作パネルの外観を示す概略図。
【図２】図１の画像形成装置のシステム制御ブロック図。
【図３】図１の画像形成装置のシステム初期設定の管理者用画面を示す概略図。
【図４】地紋認識機能有効を設定する画面を示す概略図。
【図５】地紋パターン認識ブロック図。
【図６】本発明によって地紋が印刷された原稿を読み取った例を示す概略図。
【図７】本発明によって地紋がない原稿を読み取った例を示す概略図。
【図８】ネットワークの接続例を示す概略図。
【図９】地紋パターン認識を有効に設定する例を示すフローチャート。
【図１０】本発明の実施の形態による管理者ＩＤと認証コードを入力する画面を示す図。
【図１１】管理者ＩＤと認証コードの対応を示す図。
【図１２】地紋パターン認識し、ユーザＩＤを履歴として、ＮＶＲＡＭに保存する例を示すフローチャート。
【図１３】不正コピー履歴の画面例を示す図。
【図１４】不正コピー履歴を記録していることを警告表示する画面例を示す図。
【図１５】不正コピーを行った際、音声警告通知するか否かを設定する画面例を示す図。
【図１６】不正コピーを行った際、発光警告通知するか否かを設定する画面例を示す図。
【図１７】スキャン前にユーザＩＤあるいはグループＩＤを認識して原稿スキャンする場合の動作を示すフローチャート。
【図１８】スキャン前にユーザＩＤあるいはグループＩＤを認識して原稿をプレスキャンする場合の動作を示すフローチャート。
【符号の説明】
【００３１】
１  操作パネル
２  液晶表示部（表示装置４２）
２０  システムコントローラ
２１  操作パネル制御装置
２２  画像入出力制御装置
２４  ＣＰＵ
３６  画像読み取りユニット
３７  画像書き込みユニット
３８  ＣＰＵ
４３  ＣＰＵ
５０  地紋認識ユニット
６３  位相情報記憶部
６２  孤立ドット検出部（孤立画素検出）
６３  位相情報記憶部
６４  パターンマッチング部
６５  地紋検出部
８０  画像形成装置（デジタル複合機）
８２  スキャナ装置
８４  プリンタ装置
８６  公衆回線網
９１  コンピュータ
９０  ネットワーク
【図１】
2008048080.tif 000003
【図２】
2008048080.tif 000004
【図３】
2008048080.tif 000005
【図４】
2008048080.tif 000006
【図５】
2008048080.tif 000007
【図６】
2008048080.tif 000008
【図７】
2008048080.tif 000009
【図８】
2008048080.tif 000010
【図９】
2008048080.tif 000011
【図１０】
2008048080.tif 000012
【図１１】
2008048080.tif 000013
【図１２】
2008048080.tif 000014
【図１３】
2008048080.tif 000015
【図１４】
2008048080.tif 000016
【図１５】
2008048080.tif 000017
【図１６】
2008048080.tif 000018
【図１７】
2008048080.tif 000019
【図１８】
2008048080.tif 000020